(57)【要約】【課題】ペットブリーダーが愛犬、愛猫、うさぎ等のペットと共に同じ目線で食事を楽しむことができるペット用食卓椅子を提供すること。【解決手段】ペットが食事をすることができる座部と、前記座部の下面に配置され、食卓の天板に対して、前記座部を所定の高さに位置させ、支持する支持部と、前記支持部の床面方向下端に床面と接する設置部を備えた食卓椅子であって、前記座部を構成する基板の略垂直方向に背板と左右の壁板を有することを特徴とする。【選択図】図１
0003157317.tif 000002
【実用新案登録請求の範囲】
【請求項１】
ペットが食事をすることができる座部と、
前記座部の下面に配置され、食卓の天板に対して、前記座部を所定の高さに位置させ、支持する支持部と、
前記支持部の床面方向下端に床面と接する設置部を
備えた食卓椅子であって、
前記座部を構成する基板の略垂直方向に
背板と左右の壁板を有することを特徴とするペット用食卓椅子。
【請求項２】
前記設置部は、その底部に移動可能かつ固定化可能な滑車を有することを特徴とする請求項１に記載のペット用食卓椅子。
【請求項３】
前記支持部は、床面方向に支持部としての周壁部を形成した中空形状とし、かつ前記座部の下面に引き出し部を有することを特徴とする請求項１又は請求項２に記載のペット用食卓椅子。
【考案の詳細な説明】
【技術分野】
【０００１】
本発明は、ペット用食卓椅子に関する。さらに詳しくは、人が使用する食卓と一体化することができ、かつ愛犬、愛猫、うさぎ等のペットと同じ目線で食事を共にすることができるペット用食卓椅子に関する。
【背景技術】
【０００２】
近年のペットブームにより、犬・猫・うさぎ等のペットを飼う夫婦や、ペットをパートナーとして求める人が急増している。特に少子化といわれる現代にあっては、犬・猫等ペットの飼育数は、子供の数よりも大きく上回っている。このため、既存の動物病院のみならず、ペットのための保険や、ペットの葬儀、ペット用宿泊施設、ペットシッター、ペットサプリメント等ペットのための役務が数多く出現している。
【０００３】
このような状況下、愛犬・愛猫を愛するブリーダーは、衣食住を愛犬、愛猫、うさぎ等のペットと共に共有したいという強い要望がある。例えば「衣」においては、愛犬、愛猫、うさぎ等のペットために、自作の洋服を作製したり、既製品の洋服購入することにより、ペットに着せたりすることができる。「住」においては、ペットの室内飼育はもちろん、ペット専用の玄関、トイレを作製し、人の住環境をペット仕様にすることができる。
【０００４】
ところで、愛犬、愛猫、うさぎ等のペットとの居住空間を保持し、さらにペットとのふれ合い中でコーヒー等のお茶を飲んだりするいわゆるペットカフェや、ペットと共に食事をしたりするペット食堂が愛用され始め、人気を博している。このようなペットカフェやペット食堂においては、愛犬・愛猫を愛するブリーダー自身が食事をしながら、かつ、愛犬、愛猫、うさぎ等のペットをブリーダーの視野内において食事の世話をしたり、ブリーダーと同じ目線でペットが食事する姿を見たいという要望がある。また、ペット自身も飼い主が視界にあることは精神的にも安定するものと考えられる。
【０００５】
ブリーダーと同じ目線でペットが食事するために、人が使用する食卓にペットを座らせること場合がある。しかしながら、人が食する料理と、ペットが食卓の机上に位置することになり、食卓に置いてある料理をひっくり返したり、人が食する用の料理に手をつけたりする等の不都合がある。また、食卓から、ペットが床に飛び降りたり、人が食する料理を見て興奮したペットが暴れたりするという問題点がある。
【０００６】
また、ブリーダーと同じ目線でペットが食事するために、人が使用する食卓用の椅子にペットを座らせる場合がある。しかしながら、人が使用する椅子にそのままペットを座らせても、ペットは、ブリーダーと同じ平面上に存在するものではないので、ペットの行動を注意して見たり、ペットが食事する姿を見ることができない。また、人が通常使用する食卓用の椅子は、座部と肘掛があるにすぎないものである。したがって、ブリーダーが、係る椅子にペットを座らせても、座部と肘掛との隙間から、ペットが飛び降りたり、人が食する料理を見て興奮したペットが暴れたりするという問題点がある。
【０００７】
食卓の椅子に腰掛けているブリーダーがペットを抱き抱えて、ペットに食事を与える場合もある。しかしながら、椅子に腰掛け、人間を抱き抱えるのとは異なり、ペットを抱き抱えながら、食事を与えることは熟練を要するものであり、ブリーダー自身が食事をしなければならないことを勘案すると大変手間がかかる。愛犬・愛猫を愛するブリーダーは、楽しく食事の時間を愛犬、愛猫、うさぎ等のペットと共有したいものであるから、ブリーダーが椅子に腰掛け、愛犬、愛猫、うさぎ等のペットの食事を与えることは現実的ではなく、しかもブリーダーにとっては、ペットが食事をする姿を見ることができない。
【０００８】
一方、愛犬、愛猫、うさぎ等のペットをブリーダーの足元となる床に座らせ、かつ足元で食事を与えること場合もある。しかしながら、この場合、愛犬・愛猫を愛するブリーダーにとっては、ペットと同じ目線で食事をしたいという要求は満たすことはできない。
【先行技術文献】
【特許文献】
【０００９】
【特許文献１】実登３００５２４５
【考案の概要】
【考案が解決しようとする課題】
【００１０】
以上のような状況に鑑み、本考案の課題は、ペットブリーダーが愛犬、愛猫、うさぎ等のペットと共に同じ目線で食事を楽しむことができるペット用食卓椅子を提供することある。
【課題を解決するための手段】
【００１１】
本考案者等は、上記課題を解決すべく鋭意研究した結果、ペットが食事をすることができる座部を所定の高さに位置させ、支持する支持部と、前記支持部の床面方向下端に床面と接する設置部を備える構成を採用することによって、人が使用する食卓と一体化することができ、愛犬、愛猫、うさぎ等のペットと同じ目線で食事を共にすることができるペット用食卓椅子を提供することができることを見出し、本考案を完成するに至った。
【００１２】
本考案は、以下の技術的事項から構成される。すなわち、
（１）ペットが食事をすることができる座部と、前記座部の下面に配置され、食卓の天板に対して、前記座部を所定の高さに位置させ、支持する支持部と、
前記支持部の床面方向下端に床面と接する設置部を備えた食卓椅子であって、
前記座部を構成する基板の略垂直方向に背板と左右の壁板を有することを特徴とするペット用食卓椅子。
（２）前記設置部は、その底部に移動可能かつ固定化可能な滑車を有することを特徴とする（１）に記載のペット用食卓椅子。
（３）前記支持部は、床面方向に支持部としての周壁部を形成した中空形状とし、かつ前記座部の下面に引き出し部を有することを特徴とする（１）又は（２）に記載のペット用食卓椅子を要件するものである。
【考案の効果】
【００１３】
本考案のペット用食卓椅子によれば、人が使用する食卓と一体化することができ、愛犬、愛猫、うさぎ等のペットと同じ目線で食事を共にすることができる。
また、本考案によればペットブリーダー自身が食事をしながら、常にペットをブリーダーの視野内において監視し、食事を世話し、ペットが食事する姿を見ることができる。
【図面の簡単な説明】
【００１４】
【図１】第１の実施の形態に係るペット用食卓椅子の斜視図を示す。
【図２】第１の実施の形態に係るペット用食卓椅子の正面図を示す。
【図３】第１の実施の形態に係るペット用食卓椅子の背面図を示す。
【図４】第１の実施の形態に係るペット用食卓椅子の右側面図を示す。
【図５】第１の実施の形態に係るペット用食卓椅子の背板の拡大図を示す。
【図６】第１の実施の形態に係るペット用食卓椅子の使用態様を示す。
【図７】第２の実施の形態に係るペット用食卓椅子の斜視図を示す。
【考案を実施するための形態】
【００１５】
以下、本考案の実施の形態を図面に基づいて、詳細に説明する。
【００１６】
（第１の実施形態）
図１は、第１の実施形態に係る本発明のペット用食卓椅子の一例を示す斜視図、図２は、その正面図を示す。本考案のペット用食卓椅子は、ペットが食事をすることができる座部１０と、前記座部の下面に配置され、食卓の天板に対して、前記座部を所定の高さに位置させ、支持する支持部２０と、前記支持部の床面方向下端に床面と接する設置部３０を備えた食卓椅子であって、前記座部１０は、座部の基板となる底部１００と底部の略垂直方向に背板１３０と左右の壁板１１０及び１２０を有することを特徴とするものである。
【００１７】
本考案において、ペットが食事をすることができる座部１０とは、ペットが座ることができる十分な面積を有し、かつペットが食事をし、さらに食後においてはペットがそのまま寝ることができる面積を有していれば特に制限されるものではない。従って、座部の基板となる底部１００は、対象とするペットやその種類によって適宜決めることができ、たとえば、対象とするペットが愛犬である場合において、ゴールデンレットリバー等の巨大犬、チワワ等の小型犬その面積を調整することができる。座部の基板となる底部１００の形状は、特に制限されるものではないが、必要に応じて正方形、長方形、楕円形、円形、ハート形状等適宜採択することができる。なお、座部の基板となる底部１００には、第１のペットブリーダーが使用後、第２のペットブリーダーが使用することがあるため、その表面に座部の基板となる底部１００の形状と同一か又はそれよりも小さい形状の布製シート、スポンジ、マット、タオルケット等の保護シート（図示せず）を貼置することもできる。図１に示した第１の実施態様においては、座部１０と食卓との境界を形成し、かつペットの食器等の落下防止のため、正面板１４０を設けることもできる。
【００１８】
図５に示すように、底部１００の略垂直方向に存在する背板１３０は、その表面に表示部１３０aを備えている。この表示部１３０aは、本考案のペット用食卓椅子を使用する際に、ペットブリーダーに対して注意を促すための表示部である。この表示部１３０aは、繰り返して使用することができるものであれば、その形態は特に制限されるものではないが、たとえば、シート状のビニールからなる袋状のものや、プラスチック製の２枚の板を重ねあわせた矩形状のものを背板に貼り付けた形態を例示することができる。なお、上記表示部１３０aには、たとえば、使用態様に応じて、ペットブリーダーの「テーブル番号」を記載することや、「次に使用するワンちゃん、ネコちゃんのためにカフェマットの使用をお願いします。」等の本考案のペット用食卓椅子の使用に際して、ペットブリーダーに対する注意事項を記載することもできる。
【００１９】
上記座部１０は、前記座部を構成する基板の略垂直方向に左右の壁板１１０及び１２０を有することを特徴とする。これら左右の壁板は、ペットが座部１０に座って食事をする際にその居住範囲を制限するためのものであり、特にその形状は制限されるものではない。ペットの種類、大きさにより適宜調整することができる。たとえば、図６に示すように、食卓に近接する面を円弧状の形状とし、ペットやペットブリーダーの安全性を確保するとともに、ペット用椅子全体の醸し出す癒しの効果を奏することもできる。また、壁板をプラスチックやガラス等の材料を採択することにより透明とし、ペットから離れた場所に位置するペットブリーダーからもペットが食事する様子を観察することができる。
【００２０】
図１示すように、本考案においては、前記座部１０の下面に配置され、食卓の天板に対して、前記座部１０を所定の高さに位置させ、支持する支持部２０を備える。支持部２０は、前記座部１０と後述する設置部３０の中間に位置する。第１の形態を示した図１においては、支持部２０を床面方向に支持部としての周壁部を有する形態を採用したが、支持部２０の形態は、座部１０を支持できる形態であれば特に制限されるものではない。例えば、正面図を示した図２において、正面から向かって右側の周壁２２０及び左側の周壁２３０により、左右壁面を覆い、さらに、背面の周壁２４０（図示せず）としてもよい。また、後述する図７に示した第２の実施形態のように、周壁を採用しないで、４本の脚設けて、そのまま支持部とすることもできる。
【００２１】
支持部２０は、食卓の天板に対して、前記座部を所定の高さに位置させることができるものである。すなわち、対象とするペットの種類及びその大きさや本件考案のペット用食卓椅子と一体とする食卓の天板の高さを調整することによって、ペットブリーダーの視界に対象とするペットを入れることができることとなる。前述した支持部２０を４本の脚とした形態を採択した場合には、各脚部を脚の長さを調整できるアジャスト機能を備えた脚とし、各脚の長さを同一にすることにより前記座部を所定の高さに位置させることができる。なお、支持部２０は、座部１０とペットの総重量に対して耐強度を有することが必要であるので、木材、金属又はＦＲＰ等の強化プラスチック等から構成されることが好ましい。
【００２２】
図１及び図２に明示されるように、上記支持部２０は、引き出し部２００を設けることもできる。引き出し部２００は、ペットブリーダーの小物、貴重品等の小荷物を収納することができ、さらにペットの世話に必要なペットの持ち物を収納することもできる。たとえば、ペットの首輪や洋服、タオル等、薬等を収納する。上記引き出し部２００は、把手部２００aを備えており、引き出し部２００に対して凹形状を有していることが好ましい。また、引き出し部２００は、図１及び図２に示すようにペット用食卓椅子の正面に位置していてもよいが、用途に応じて、その側面２２０、側面２３０や背面に位置することができる。さらに、上記支持部２０は、中空部２１０を有している。この中空部２１０と備えることによって、ペットハウスとして利用することができる。また、ペットブリーダーの荷物やペットの移動時に使用するバスケット等の大型の荷物を収納することができる。
【００２３】
さらに、本考案のペット用食卓椅子は、前記支持部２０の床面方向下端に床面と接する設置部３０を備えることを特徴とするものである。設置部３０は、設置本体３００から構成され、上記座部１０及び上記支持部２０を支持し、支持部２０と共に上記中空部２１０を形成している。設置部３０の床面と接する部分には、本考案のペット用食卓椅子を固定型としないで、移動可能にするために、設置部３０の底面の四端に滑車３００a〜３００dを固定して設けることできる。図４に示すように、上記滑車３００a〜３００dはストッパー付きのものとすることができ、食卓とペット用食卓椅子の位置を固定することができる。その結果、座部１０においてペットが安定して食事をすることができる。
【００２４】
図６に示すように、本考案のペット用食卓椅子は、人が食事をする食卓の天板の高さに併せて使用することができる。また、ペットが座部に座った場合に、その姿勢に応じて支持部の高さを調整して使用することができる。上記ペット用食卓椅子を食卓に移動させて、近接して配置し、設置部底面の滑車のストッパーを固定することにより使用する。このように本考案のペット用食卓椅子を使用することにより、人が使用する食卓と一体化することができ、愛犬、愛猫、うさぎ等のペットと同じ目線で食事を共にすることができる。また、ペットブリーダー自身が食事をしながら、常にペットをブリーダーの視野内において監視し、食事を世話し、ペットが食事する姿を見ることができる。
【００２５】
（第２の実施形態）
本実施形態が第１の実施形態と異なる点は、図７に示すように、ペット用食卓椅子を構成する支持部を四本の脚とし、この支持部を設置部と兼用させた点及び支持部を覆う周壁及び引き出し部を設けていない点である。本実施形態は、簡易なペット用食卓椅子として使用することを目的としているものであり、その機能においては、第１の実施形態と何ら異なるものではない。
【実施例１】
【００２６】
以下、本考案を図面に基づいて説明するが、本考案は何らこれらに限定されるものではない。なお、本考案の技術的範囲は上記の実施形態の限定されるものではなく、本考案の趣旨を逸脱しない範囲において種々の変更を加えることが可能である。
【００２７】
実施例１においては、ペット用食卓椅子を構成する座部１０、支持部２０及び載置部３０の材料として木材を採択して、図１〜図４に示すように所定の大きさ、形状とし上記部材を製造した。上記各部材料の連結及びそれらの結合は、嵌め込みや面接着により行った。座部基板の底部には、ペットが座る際に居心地をよいものとするために、スポンジ又はウレタンからなるカフェマットを敷いた。図６に実施例１で製造した本件考案のペット用食卓椅子の使用態様を示す。
【産業上の利用可能性】
【００２８】
本考案のペット用食卓椅子は、人が使用する食卓と一体化することができ、愛犬、愛猫、うさぎ等のペットと同じ目線で食事を共にすることができるものであり、日用品技術分野、特にペット関連産業の技術革新に大きく貢献することができる。
【符号の説明】
【００２９】
１０    座部
２０    支持部
３０    設置部
１００    座部基板の底部
１１０    右側壁板
１２０    左側壁板
１３０    背板
１３０a  表示部
１４０    座部正面板
２００    引き出し部
２００a  把手部
２１０    中空部
２２０    右側周壁
２３０    左側周壁
３００    設置部本体
３００a  右前滑車
３００b  右後滑車
３００c  左前滑車
３００d  左後滑車
【図１】
0003157317.tif 000003
【図２】
0003157317.tif 000004
【図３】
0003157317.tif 000005
【図４】
0003157317.tif 000006
【図５】
0003157317.tif 000007
【図６】
0003157317.tif 000008
【図７】
0003157317.tif 000009